(57)【要約】【課題】建具体開閉時に生じる音を十分満足する程度に抑制できるラッチ装置とする。【解決手段】建具体３に取り付けたラッチ本体４ａと、枠体１に取り付けた受部４ｂを有するラッチ装置で、そのラッチ本体４ａのケース５内にはラッチ部材６の突出速度を遅くするための内部空間５ａを有し、付勢手段（コイルバネ１０）で付勢される付勢手段受け部材（ナット８）が衝突する緩衝材からなるストッパー部材９の周辺にはケース５外に連通する隙間等がなく、その衝突音がケース５の外部に伝播することを低減し、建具体３の開閉時にラッチ装置を原因として発生する音を十分満足する程度に抑制できるようにする。【選択図】図２
2014134043.tif 000002
【特許請求の範囲】
【請求項１】
枠体と前記枠体に開閉自在に支持された建具体の一方に取り付けるラッチ本体と、他方に取り付けられる受部を有し、前記ラッチ本体のラッチ部材が付勢手段により付勢されて前記受部に係合することで前記建具体を閉鎖位置に位置規制するラッチ装置であって、
前記ラッチ本体は、
前記ラッチ部材が挿入されるラッチ部材挿入孔を有する第１ケースと、前記付勢手段が挿入される付勢手段挿入孔を有する第２ケースとから構成され、そのラッチ部材挿入孔と付勢手段挿入孔が連通するように連結されたケースと、
前記付勢手段挿入孔に挿入された付勢手段と、
前記ラッチ部材挿入孔に突没自在に挿入されたラッチ部材と、
前記ラッチ部材に設けられた棒状部材と、
前記棒状部材に取り付けられ、前記第２ケースの付勢手段挿入孔に収容されて前記付勢手段の付勢を受ける付勢手段受け部材と、
挿入されたラッチ部材により第２ケース側に画されたラッチ部材挿入孔の内部空間とケース外部の空間とを連通する空気流通部と、
前記第１ケースと第２ケースとの間に設けて少なくとも第２ケース内を気密とすると共に、付勢手段受け部材の付勢方向の動きを規制する緩衝材からなるストッパー部材と、からなることを特徴とするラッチ装置。
【請求項２】
前記第１ケース及び第２ケースは、一端が開口した底壁を有するほぼ筒形状で、
第１ケースの底壁に棒状部材が貫通する貫通孔を形成すると共に、前記第１ケースの底壁外面の貫通孔の周囲にストッパー部材を設け、
前記第２ケースの開口端面をストッパー部材に接して第１ケースと第２ケースを連結し、第１ケースのラッチ部材挿入孔と第２ケースの付勢手段挿入孔とが貫通孔で連通したケースとした請求項１記載のラッチ装置。
【請求項３】
前記第１ケース及び前記第２ケースに、第１ケースの底壁に設けたストッパー部材と第２ケースの開口端面が接触した状態を保持するように係合する連結部と被連結部を設けた請求項２記載のラッチ装置。
【請求項４】
前記連結部は、第１ケースの底壁に形成した溝と、外周面に形成した係合受部を有し、
前記被連結部は、前記溝に嵌合し、かつ前記係合受部に係合する係止片を有する請求項３記載のラッチ装置。
【請求項５】
請求項１〜４いずれか１項記載のラッチ装置のラッチ本体を建具体に設け、受部を枠体に設けることで、ラッチ本体のラッチ部材が受部に係合して建具体を閉鎖位置に位置規制するようにした建具であって、
前記ラッチ本体の第１ケースを建具体のケース固定部に固着し、建具体のケース支持部に第２ケースを接することで、ラッチ本体を建具体に設けたことを特徴とする建具。
【発明の詳細な説明】
【技術分野】
【０００１】
本発明は、ラッチ装置および、そのラッチ装置で建具体を閉鎖位置に位置規制する建具に関する。
【背景技術】
【０００２】
建具に用いるラッチ装置が特許文献１に開示されている。
このラッチ装置は、枠体に設けられた受部と、面材（建具体）に設けたラッチ本体とを備え、そのラッチ本体を受部に係合することで面材（建具体）を閉鎖位置に位置規制するものである。
そして、ラッチ本体は、ベース部材（ケース）と、ラッチ部材と、ラッチ部材に設けたボルトと、ボルトに螺合したナットを備え、ベース部材のベース孔にラッチ部材を挿入すると共に、ナットをベース部材の収容部内に挿入することでラッチ本体の内部に空間を形成し、収容部内に設けたコイルバネでナットを付勢してベース部材の差込部に差し込んで設けたナット移動規制部材にナットを当接することでラッチ部材をベース孔から突出し、そのラッチ部材を押すことでコイルバネが圧縮変形してラッチ部材がベース孔に没入するようにしてある。
【先行技術文献】
【特許文献】
【０００３】
【特許文献１】特許第４９８８６３９号公報
【発明の概要】
【発明が解決しようとする課題】
【０００４】
特許文献１に開示したラッチ装置は、ラッチ部材を回転することでボルトがナットに対して回転してラッチ部材が移動するからラッチ部材の突出量を変更できる。
しかも、ラッチ部材の突出量を変更した際にナットは移動しないからコイルバネの縮み量が変化することなく、コイルバネによるラッチ部材の付勢力を一定にすることができる。
【０００５】
このラッチ装置を用いた建具は、建具体を開閉するときにラッチ装置を原因とする大きな音が発生するとの問題がある。
例えば、閉鎖位置の建具を開放するときには、ラッチ部材が受部から外れ、圧縮変形していたコイルスプリングが伸びることでラッチ部材がベース孔から突出し、ナットがナット移動規制部材に衝突するから、ナットの衝突音が発生し、その衝突音がベース部材の差込部とナット移動規制部材との間の隙間から外部に伝播する。
開放している建具を閉鎖位置とするときには、まず、ラッチ部材が受部材に干渉してコイルスプリングに抗してベース孔内に没入し、さらに建具体を回動して閉鎖位置とするとラッチ部材がコイルスプリングでベース孔から突出して受部に係合するから、係合音が発生する。
しかも、建具体開閉時には、前述のようにラッチ部材がベース部材のベース孔内を摺動することで建具体が振動し、その建具体が振動することにより音が発生する。
【０００６】
特許文献１に開示したラッチ装置は、ベース部材の空間内に外部の空気が流入することを規制してエアダンパ力を作用させ、コイルスプリングによるラッチ部材の突出速度を遅くし、前述の建具体の振動による音を抑制しようとしているが、ベース部材の差込部とナット移動規制部材との間の隙間で前述のベース部材内の空間が外部に連通しているので、十分なエアダンパ力が得られず、前述の各音の抑制には限度があり、建具体開閉時にラッチ装置を原因とする音を十分満足する程度に抑制できない。
【０００７】
本発明の目的は、建具に用いた際に、建具体開閉時にラッチ装置を原因とする音を十分満足する程度に抑制できるようにしたラッチ装置および建具とすることである。
【課題を解決するための手段】
【０００８】
本発明は、枠体と前記枠体に開閉自在に支持された建具体の一方に取り付けるラッチ本体と、他方に取り付けられる受部を有し、前記ラッチ本体のラッチ部材が付勢手段により付勢されて前記受部に係合することで前記建具体を閉鎖位置に位置規制するラッチ装置であって、
前記ラッチ本体は、
前記ラッチ部材が挿入されるラッチ部材挿入孔を有する第１ケースと、前記付勢手段が挿入される付勢手段挿入孔を有する第２ケースとから構成され、そのラッチ部材挿入孔と付勢手段挿入孔が連通するように連結されたケースと、
前記付勢手段挿入孔に挿入された付勢手段と、
前記ラッチ部材挿入孔に突没自在に挿入されたラッチ部材と、
前記ラッチ部材に設けられた棒状部材と、
前記棒状部材に取り付けられ、前記第２ケースの付勢手段挿入孔に収容されて前記付勢手段の付勢を受ける付勢手段受け部材と、
挿入されたラッチ部材により第２ケース側に画されたラッチ部材挿入孔の内部空間とケース外部の空間とを連通する空気流通部と、
前記第１ケースと第２ケースとの間に設けて少なくとも第２ケース内を気密とすると共に、付勢手段受け部材の付勢方向の動きを規制する緩衝材からなるストッパー部材と、からなることを特徴とするラッチ装置である。
【０００９】
本発明のラッチ装置は、前記第１ケース及び第２ケースは、一端が開口した底壁を有するほぼ筒形状で、
第１ケースの底壁に棒状部材が貫通する貫通孔を形成すると共に、前記第１ケースの底壁外面の貫通孔の周囲にストッパー部材を設け、
前記第２ケースの開口端面をストッパー部材に接して第１ケースと第２ケースを連結し、第１ケースのラッチ部材挿入孔と第２ケースの付勢手段挿入孔とが貫通孔で連通したケースとすることができる。
このようにすれば、ラッチ部材を第１ケースのラッチ部材挿入孔に挿入して棒状部材を貫通孔から突出し、その棒状部材に付勢手段受け部材を設けた状態で第２ケースを第１ケースに連結することでラッチ本体を組み立てることができる。
【００１０】
本発明のラッチ装置は、前記第１ケース及び前記第２ケースに、第１ケースの底壁に設けたストッパー部材と第２ケースの開口端面が接触した状態を保持するように係合する連結部と被連結部を設けることができる。
このようにすれば、付勢手段で付勢手段受け部材がストッパー部材に衝突することでストッパー部材と第２ケースの開口端面が離れることがない。
【００１１】
本発明のラッチ装置は、前記連結部は、第１ケースの底壁に形成した溝と、外周面に形成した係合受部を有し、
前記被連結部は、前記溝に嵌合し、かつ前記係合受部に係合する係止片を有するものにできる。
このようにすれば、係合片を溝に嵌合するとともに、係合受部に係合することで、第１ケースと第２ケースを相対回転しないように連結でき、ラッチ部材とともにボルトが回転する際に第１ケースに対して第２ケースが回転することがないから、ラッチ部材を回転してラッチ部材の突出量を変更するようにした場合に好ましい。
【発明の効果】
【００１２】
本発明のラッチ装置によれば、付勢手段受け部材がストッパー部材に衝突したときの衝突音が小さく、しかもその衝突音がケース外部に伝播することが低減すると共に、ラッチ部材の突出速度を十分に遅くすることができるから、このラッチ装置を建具に用いた際に、建具体開閉時にラッチ装置を原因とする音を十分満足する程度に抑制することができる。
【００１３】
本発明の建具によれば、第１ケースが建具体のケース固定部に固着し、第２ケースが建具体のケース支持部に接しているから、その第１ケースと第２ケースが分離することがなく、ラッチ装置の耐久性が向上する。
【図面の簡単な説明】
【００１４】
【図１】建具の外観図である。
【図２】図１のＡ−Ａ拡大断面図である。
【図３】ラッチ本体の拡大横断面図である。
【図４】ラッチ本体の拡大縦断面図である
【図５】ラッチ本体の分解斜視図である
【発明を実施するための形態】
【００１５】
図１に示すように、建具１は、枠体２に建具体３を図示しないヒンジで開閉自在に取り付けてある。
枠体２は、上枠２０と下枠２１と左右一方の縦枠２２と他方の縦枠２３を備えている。
建具体３は、上框３０と下框３１と左右一方の縦框３２と他方の縦框３３を備えた框組体３４にガラス等のパネル３５を装着してある。
そして、左右一方の縦框３２がヒンジで枠体２に開閉自在に支持され、左右他方の縦框３３に把手３６が設けてある。
【００１６】
本発明のラッチ装置４は左右他方の縦枠２３と左右他方の縦框３３とに渡って上下２ヶ所に設けてある。
なお、ラッチ装置４は１ヶ所に設けても良いし、３ヶ所以上に設けても良い。
ラッチ装置４は、縦框３３に設けたラッチ本体４ａと、縦枠２３に設けた受部４ｂを備えている。なお、ラッチ本体４ａを縦枠２３に設け、受部４ｂを縦框３３に設けても良い。
【００１７】
ラッチ本体４ａは、図２に示すように、第１ケース４０と、この第１ケース４０と別体で第１ケース４０に連結した第２ケース５０を有したケース５と、この第１ケース４０内に突没自在に設けたラッチ部材６と、このラッチ部材６に設けた棒状部材、例えばボルト７と、棒状部材に設けた付勢手段受け部材、例えばボルト７に螺合し第２ケース５０に回転不能でスライド可能に設けたナット８と、第２ケース５０に設けられた付勢手段、例えばナット８をストッパー部材９に当接してラッチ部材６を突出付勢するコイルスプリング１０を備えている。
【００１８】
受部４ｂは、ラッチ部材６が係合する係合凹部１１と、この係合凹部１１の建具体開放側部と連続し、その係合凹部１１にラッチ部材６を係合し易くするガイド１２を有している。
そして、開放している建具３を閉じ方向に回動することで、ラッチ部材６がガイド１２に沿って移動することでコイルスプリング１０に抗して第１ケース４０内に没入し、建具体３が閉鎖位置となるとラッチ部材６がコイルスプリング１０で突出して受部４ｂの係合凹部１１に係合し、建具体３を閉鎖位置に位置規制する。
【００１９】
ケース本体４ａを図３〜図５に基づいて詳細に説明する。
第１ケース４０は、一端部が開口し、他端部が閉塞した底壁４０ａを有する筒形状で、その内周面がラッチ部材６が摺動可能に挿入するラッチ部材挿入孔４１である。
第１ケース４０の開口寄りの外周面にはラッチ本体４ａを縦框３３に取り付ける取付部４２を有している。
第１ケース４０の底壁４０ａ寄りに第２ケース５０が連結される連結部４３を有し、その底壁４０ａにはボルト７が貫通する貫通孔４４を有している。
第１ケース４０の底壁４０ａの貫通孔４４の周縁にはラッチ部材挿入孔４１と反対側（底壁外面）に開口した環状の凹陥部４５が形成され、この凹陥部４５にリング形状のストッパー部材９を嵌合して取り付けてある。ストッパー部材９はリング形状に限ることはない。
ストッパー部材９は、ゴムや軟質樹脂などの軟質で、金属部材が衝突したときに金属音が発することがない緩衝材で作製してある。
取付部４２は第１ケース４０の外周面の径方向両側方に突出した板状体で、取付用孔４６を有している。
【００２０】
第１ケース４０に設けた連結部４３は、第１ケース４０の底壁４０ａに形成され、その底壁端面４０ａ−１に開口した径方向一対の溝４３ａと、この溝４３ａと連続して第１ケース４０の外周面に形成した一対の係合受部４３ｂを有している。
【００２１】
第２ケース５０は、一端部が開口し、他端部が閉塞した底壁５０ａを有した筒形状で、その内周面が付勢部材挿入孔５１で、この付勢部材挿入孔５１にコイルスプリング１０が挿入してあると共に、ナット８が回転不能で、スライド可能に挿入される。
例えば、ナット８を外周面が多角形状とし、付勢部材挿入孔５１を内周面が多角形状とし、ナット８を挿入することで回転しないが、スライドするようにする。
第２ケース５０の開口端寄りに、この第２ケース５０を第１ケース４０に連結する被連結部５２を有している。
コイルスプリング１０はナット８と第２ケース５０の底壁５０ａとの間に設けてある。
【００２２】
被連結部５２は第２ケース５０の外周面の開口寄りに径方向の外側に向けて設けた一対の突出片５３を有し、この突出片５３は連結部４３の溝４３ａに嵌合する。各突出片５３の先端部に、前述の係合受部４３ｂに係合する係合部５４が設けられて係合片としてある。
この係合部５４は突出片５３よりも一端側に突出して径方向の内側に向かっている。
突出片５３の一端面５３ａは第２ケース５０の開口端面５０ｂと面一に連続している。
【００２３】
このようであるから、被連結部５２の一対の突出片５３を連結部４３の溝４３ａに嵌合すると共に、係合部５４を係合受部４３ｂに係合することで、第１ケース４０の底壁４０ａに設けたストッパー部材９と第２ケース５０の開口端面５０ｂが接し、ラッチ部材挿入孔４１と付勢部材挿入孔５１が貫通孔４４で連通すると共に、第１ケース４０と第２ケース５０との間が気密されたケース５を形成する。
ストッパー部材９は第１ケース４０の底壁４０ａの凹陥部４５に嵌合し、ストッパー部材９の端面に第２ケース５０の開口端面５０ｂが接して第２ケース５０内を気密しているから、ストッパー部材９は第１ケース４０と第２ケース５０とで囲まれ、ケース５のストッパー部材９の取付部分に、そのストッパー部材９をケース５の外部に連通する隙間等が存在しない。
【００２４】
これにより、ナット８がストッパー部材９に衝突したときの衝突音が小さく、しかもその衝突音が隙間等を通してケース５の外部に伝播することがなく、衝突音がケース外部に伝播することを低減できる。
【００２５】
この実施の形態では、被連結部５２である係合片の突出片５３が連結部４３の溝４３ａに嵌合し、第２ケース５０は第１ケース４０に対して回転することがないように連結されているから、ラッチ部材６を回転してラッチ部材６の突出量を調整する際に、第２ケース５０が回転することがない。
この実施の形態では、被連結部５２である係合片の係合部５４が連結部４３の係合受部４３ｂに係合するから、第１ケース４０と第２ケース５０が分離することがない。
【００２６】
連結部４３と被連結部５２は前述のものに限ることはなく、第１ケース４０と第２ケース５０に雄ねじと雌ねじを形成して螺合することで第１ケース４０と第２ケース５０を連結したり、ビスで第１ケース４０と第２ケース５０を連結したり、第１ケース４０と第２ケース５０を接着して連結することなどでも良い。
【００２７】
ラッチ部材６は、ほぼ半球状で受部４ｂの係合凹部１１に係合する先端部６０と、この先端部６０と連続し、ラッチ部材挿入孔４１に挿入する円柱状の基端部６１を備え、ラッチ部材挿入孔４１にラッチ部材６と第１ケース４０の底壁４０ａとの間に内部空間５ａを形成している。
先端部６０には工具を嵌合してラッチ部材６を回転するための工具嵌合凹部６２が形成してある。
基端部６１の外周面にはラッチ部材６とラッチ部材挿入孔４１との間を気密する気密部材、例えばＯリング６３が装着され、ラッチ部材６の外周面とラッチ部材挿入孔４１との間から内部空間５ａに空気が流通しないようにしてある。
【００２８】
ボルト７は、貫通孔４４を貫通し、ナット８が螺合するネジ軸７０と、このネジ軸７０に設けた多角形の頭部７１を有している。
そして、頭部７１をラッチ部材６の基端部６１に形成した溝部６４に嵌合してボルト７をラッチ部材６に回転しないように連結して設けてある。
【００２９】
ラッチ部材６が突出方向及び没入方向に移動する際に、その内部空間５ａに空気が流入、流出するように、内部空間５ａをケース外部の空間に連通する空気流通部１３を有している。
例えば、第１ケース４０のラッチ部材挿入孔４１に軸方向に連続した凹溝４７を形成し、この凹溝４７とラッチ部材６のＯリング６３との間に隙間を形成して空気流通部１３としてある。
この空気流通部１３は前述の凹溝４７に限ることはなく、ラッチ部材６の外周面に内部空間５ａを外部に連通する凹溝を形成したり、ラッチ部材６に細孔を形成して空気流通部１３としても良いし、第１ケース４０に内部空間５ａを外部に連通する細孔を形成して空気流通部１３としても良い。
【００３０】
このように、ケース５のストッパー部材９を取り付けた部分には隙間等が存在しないことから、内部空間５ａは空気流通部１３のみでケース外部の空間と連通し、その空気流通部１３の空気流通量によってラッチ部材６の突出速度を所望の速度とすることができるので、ラッチ部材の突出速度を十分に遅くすることで、そのラッチ部材の移動による建具体の振動による音を抑制できる。
このことと、前述した衝突音のケース外部への伝播を低減できることによって、ラッチ装置を建具に用いた際に、建具体開閉時にラッチ装置を原因とする音を十分満足する程度に抑制できる。
【００３１】
この実施の形態ではラッチ部材６を回転してラッチ部材６の突出量を変更するようにしてあるので、ラッチ部材６が１回転したことによるラッチ部材６の突出量の変化量を設定し、ラッチ部材６を１回転したことを感知できるようにしてラッチ部材６の突出量の変化した値を感知できるようにしてある。
例えば、図４に示すようにラッチ部材６に凹溝４７に嵌合するピン６５を径方向に移動自在に設け、そのピン６５を図示しないバネで凹溝４７に嵌合し、ラッチ部材６を回転開始するとピン６５が没入して凹溝４７から外れ、ラッチ部材６が１回転するとピン６５が凹溝４７に嵌合するようにしてラッチ部材６の１回転を感知できるようにしている。
【００３２】
このように、空気流通部１３を形成する凹溝４７を利用しているので、構成が簡単となる。なお、凹溝４７とピン６５との嵌合した部分を空気が流通するようにしてある。
【００３３】
次に、ラッチ本体４ａの組み立てを説明する。
ボルト７を設けたラッチ部材６を第１ケース４０のラッチ部材挿入孔４１に挿入し、そのボルト７を貫通孔４４を貫通して第１ケース４０の底壁４０ａから外部に突出する。
第１ケース４０の底壁４０ａから突出したボルト７にナット８を螺合すると共に、そのナット８をナットストッパ９に接してラッチ部材６の突出量を設定の値とする。
【００３４】
第２ケース５０を第１ケース４０に向けて移動し、その付勢手段挿入孔５１にナット８を挿入するとともに、被連結部５２を連結部４３に嵌合及び係合することで第２ケース５０を第１ケース４０に連結することで、ラッチ本体４ａを組み立てる。
【００３５】
ラッチ本体４ａは建具体３の縦框３３に次のようにして取り付ける。
縦框３３のケース固定部、例えば外側縦板３７の取付用孔３７ａにラッチ本体４ａを第２ケース５０を先頭としてケース支持部、例えば外側縦板３８と面内方向に対向した内側縦板３８に向けて挿入し、取付部４２を外側縦板３７の外側面３７ｂに接して固着具３９で固着して第１ケース４０を外側縦板３７に固着する。
第２ケース５０の底壁５０ａを縦框３３の内側縦板３８に接し、第１ケース４０と第２ケース５０が分離することがないように縦框３３の外側縦板３７と内側縦板３８とで第１ケース４０、第２ケース５０を支持する。
【００３６】
前述のようにしてラッチ本体４ａを縦框３３に設ける際に、ケース５の全長（取付部４２と第２ケース５０の底壁５０ａとの間の長さ）Ｌが短く、第２ケース５０の底壁５０ａが内側縦板３８に接しない場合には、内側縦板３８と底壁５０ａとの間にシムなどを介在して接するようにすることができる。
【００３７】
また、ケース５の全長Ｌが長く、取付部４２が外側縦板３７の外側面３７ｂに接しない場合には、取付部４２と外側縦板３７の外側面３７ｂとの間にシムなどを介在して接するようにすることができる。
【００３８】
この実施の形態では、棒状部材をボルト７とし、付勢手段受け部材をナット８とし、かつナット８を第２ケース５０の付勢手段挿入孔５１に回転不能でスライド可能に挿入して、ラッチ部材６を回転することでラッチ部材６が出入りして突出量を変更できるようにしてあるが、ラッチ部材６の突出量を変更しないのであれば、棒状部材をロッドとし、付勢手段受け部材をロッドに設けたピンやリングとし、かつ第２ケース５０の付勢手段挿入孔５１にスライド可能に挿入するようにできる。
【００３９】
この実施の形態では付勢手段をコイルスプリング１０としたが、皿バネや筒状のゴムなどでも良い。
【符号の説明】
【００４０】
２…枠体、３…建具体、４…ラッチ装置、４ａ…ラッチ本体、４ｂ…受体、５…ケース、５ａ…内部空間、６…ラッチ部材、７…ボルト（棒状部材）、８…ナット（付勢手段受け部材）、９…ストッパー部材、１０…コイルスプリング（付勢手段）、１３…空気流通部、３７…外側縦板（ケース固定部）、３８…内側縦板（ケース支持部）、４０…第１ケース、４０ａ…底壁、４１…ラッチ部材挿入孔、４３…連結部、４３ａ…溝、４３ｂ…係合受部、４４…貫通孔、５０…第２ケース、５０ａ…底壁、５１…付勢手段挿入孔、５２…被連結部、５３…突出片、５４…係合部。
【図１】
2014134043.tif 000003
【図２】
2014134043.tif 000004
【図３】
2014134043.tif 000005
【図４】
2014134043.tif 000006
【図５】
2014134043.tif 000007